(57)【要約】【課題】  開口率を向上させ，駆動部がパネル上に形成される場合には駆動部占有面積を減らして非発光領域を減少させることができる表示装置，表示パネル，及び表示パネルの駆動方法を提供する。【解決手段】  データ信号を伝達する複数のデータ線Ｄ１〜Ｄｍと，選択信号を伝達する複数の選択走査線Ｓ１〜Ｓｎと，データ線及び選択走査線に接続されてデータ信号及び選択信号が印加される複数の画素１１０と，を有する表示装置において；画素１１０は，選択信号が印加されている間，データ信号を入力し，データ信号に対応するデータ電流を出力する発光素子駆動部３００と，データ電流に対応して各々発光する少なくとも４つの発光素子と，データ電流を各々の発光素子へ伝達するスイッチング部と，を備え，少なくとも２つの発光素子は，走査線に対して水平方向に離隔して形成されていることを特徴とする。【選択図】    図１
2006065274.tif 000002
【特許請求の範囲】
【請求項１】
データ信号を伝達する複数のデータ線と，選択信号を伝達する複数の走査線と，前記データ線及び前記走査線に接続されて前記データ信号及び前記選択信号が印加される複数の画素と，を有する表示装置において；
前記画素は，
前記選択信号が印加されている間，前記データ信号を入力し，前記データ信号に対応するデータ電流を出力する発光素子駆動部と，
前記データ電流に対応して各々発光する少なくとも４つの発光素子と，
前記データ電流を各々の前記発光素子へ伝達するスイッチング部と，
を備え，
前記４つの発光素子のうち，少なくとも２つの発光素子は，前記走査線とデータ線とからお互い異なる位置に形成されていることを特徴とする表示装置。
【請求項２】
前記４つの発光素子は，２つの列にそれぞれ２つずつ形成されることを特徴とする請求項１に記載の表示装置。
【請求項３】
前記発光素子駆動部は，
第１電極，第２電極及び第３電極を備え，前記第１電極と前記第２電極との間に印加される電圧に対応する電流を前記第３電極へ出力するトランジスタと，
前記選択信号に応答して前記データ信号を第１キャパシタへ伝達する第１スイッチング素子と，
前記データ信号に対応する電圧を蓄える前記第１キャパシタと，
を有することを特徴とする請求項１または２に記載の表示装置。
【請求項４】
前記トランジスタの前記第２電極は第１電源に接続され，
前記発光素子駆動部は，
前記トランジスタの前記第１電極と前記第１キャパシタとの間に接続される第２キャパシタと，
前記トランジスタの前記第１電極と前記第３電極との間に接続され，第１制御信号に応答して前記トランジスタをダイオード接続させる第２スイッチング素子と，
前記第１電源と前記第２キャパシタの前記第１キャパシタ側の電極との間に接続され，第２制御信号に応答して，前記第２キャパシタの前記第１キャパシタ側の電極に，前記第１電源の電圧を印加する第３スイッチング素子と，
をさらに有することを特徴とする請求項３に記載の表示装置。
【請求項５】
前記第１制御信号と前記第２制御信号とは実質的に同一の制御信号であることを特徴とする請求項４に記載の表示装置。
【請求項６】
前記第１制御信号は，前記選択信号が印加される前に印加された走査線の選択信号であることを特徴とする請求項４に記載の表示装置。
【請求項７】
前記スイッチング部は，お互い異なる期間に，前記データ電流を前記４つの発光素子へそれぞれ伝達する４つのスイッチング素子を有することを特徴とする請求項１〜６のいずれかに記載の表示装置。
【請求項８】
前記４つの発光素子のうち，少なくとも２つは，異なる色相で発光することを特徴とする請求項１〜７のいずれかに記載の表示装置。
【請求項９】
前記４つの発光素子は，実質的に同一の色相で発光することを特徴とする請求項１〜７のいずれかに記載の表示装置。
【請求項１０】
発光表示装置の表示パネルにおいて；
データ信号を伝達する複数のデータ線と，
選択信号を伝達する複数の走査線と，
前記データ線及び前記走査線に接続されて前記データ信号及び前記選択信号が印加される複数の画素を有する表示部と，
少なくとも４つの前記データ信号を１フィールドの間に時分割し，前記データ線に印加するデータ信号駆動部と，
前記複数の走査線に，順次前記選択信号を印加するための走査駆動部と，
を備えており，
前記画素は，
前記選択信号が印加されている間，前記データ信号を入力し，前記データ信号に対応するデータ電流を出力する駆動部と，
前記データ電流に対応して各々発光する少なくとも４つの発光素子と，
前記データ電流を各々の前記発光素子へ伝達するスイッチング部と，
を有し，
前記４つの発光素子は，
前記走査線に対して水平方向に形成された第１及び第２発光素子と，前記第１及び第２発光素子各々の，前記走査線に対して垂直方向に形成された第３及び第４発光素子であることを特徴とする表示パネル。
【請求項１１】
前記１フィールドは，少なくとも４つのサブフィールドに分けられて駆動され，前記走査駆動部は，前記選択信号を前記サブフィールド毎に前記走査線に順次印加することを特徴とする請求項１０に記載の表示パネル。
【請求項１２】
前記データ信号駆動部は，前記４つのサブフィールドで前記走査線に前記選択信号が印加される間，前記４つの発光素子に対応する前記データ信号を前記データ線に順次印加することを特徴とする請求項１１に記載の表示パネル。
【請求項１３】
前記駆動部は，
第１電極，第２電極及び第３電極を備え，前記第１電極と前記第２電極との間に印加される電圧に対応する電流を前記第３電極へ出力するトランジスタと，
前記選択信号に応答して前記データ信号を第１キャパシタへ伝達する第１スイッチング素子と，
前記データ信号に対応する電圧を蓄える前記第１キャパシタと，
を有することを特徴とする請求項１０〜１２のいずれかに記載の表示パネル。
【請求項１４】
前記スイッチング部は，お互い異なる期間に，前記データ電流を前記４つの発光素子へそれぞれ伝達する４つのスイッチング素子を有することを特徴とする請求項１０〜１３のいずれかに記載の表示パネル。
【請求項１５】
データ信号を伝達する複数のデータ線と，選択信号を伝達する複数の走査線と，前記データ線および前記走査線に接続されて前記データ信号及び前記選択信号が印加される複数の画素と，を備える表示パネルの駆動方法において；
前記複数の画素は少なくとも４つの発光素子を有しており，１フィールドが少なくとも４つのサブフィールドに分けられて駆動され，
各サブフィールドで前記走査線に前記選択信号を順次印加する段階と，
前記選択信号が印加される間，前記データ線に前記データ信号を書き込む段階と，
前記データ信号に対応する電流を前記４つの発光素子に順次伝達する段階と，
を含み，
前記４つの発光素子は，前記走査線に対して水平方向に形成された第１及び第２発光素子と，前記第１及び第２発光素子各々の前記走査線に対して垂直方向に形成された第３及び第４発光素子であることを特徴とする表示パネルの駆動方法。
【請求項１６】
前記データ線には，前記第１〜第４発光素子に対応するデータ信号が，順次書き込まれることを特徴とする請求項１５に記載の表示パネルの駆動方法。
【発明の詳細な説明】
【技術分野】
【０００１】
本発明は，表示装置と，表示パネル，及びその駆動方法に係り，特に，有機物質の電界発光を用いた有機電界発光（ｅｌｅｃｔｒｏ  ｌｕｍｉｎｅｓｃｅｎｔ：ＥＬ）表示装置，その表示パネル，及び表示パネルの駆動方法に関する。
【背景技術】
【０００２】
一般に，有機ＥＬ表示装置は，蛍光性有機化合物を電気的に励起させて発光させる表示装置であって，Ｎ×Ｍ個の有機発光セルに電圧書き込み，または電流書き込みを行って画像を表現することができるようになっている。このような有機発光セルは，アノード，有機薄膜，カソードレイヤの構造を有している。
【０００３】
有機薄膜は，電子と正孔のバランスを良くして発光効率を向上させるために，発光層（ｅｍｉｔｔｉｎｇ  ｌａｙｅｒ：ＥＭＬ），電子輸送層（ｅｌｅｃｔｒｏｎ  ｔｒａｎｓｐｏｒｔ  ｌａｙｅｒ：ＥＴＬ），及び正孔輸送層（ｈｏｌｅ  ｔｒａｎｓｐｏｒｔ  ｌａｙｅｒ：ＨＴＬ）を有する多層構造からなり，且つ別途の電子注入層（ｅｌｅｃｔｒｏｎ  ｉｎｊｅｃｔｉｎｇ  ｌａｙｅｒ：ＥＩＬ）と正孔注入層（ｈｏｌｅ  ｉｎｊｅｃｔｉｎｇ  ｌａｙｅｒ：ＨＩＬ）をも有している。
【０００４】
このような有機発光セルを駆動する方式は，パッシブマトリックス（ｐａｓｓｉｖｅ  ｍａｔｒｉｘ）方式と，薄膜トランジスタ（ｔｈｉｎ  ｆｉｌｍ  ｔｒａｎｓｉｓｔｏｒ：ＴＦＴ）を用いたアクティブマトリックス（ａｃｔｉｖｅ  ｍａｔｒｉｘ）方式に大別される。パッシブマトリックス方式は，陽極と陰極を直交配置し，ラインを選択して駆動する。これに対して，アクティブマトリックス方式は，薄膜トランジスタを各画素電極に接続し，薄膜トランジスタのゲートに接続されたキャパシタの容量によって維持された電圧に応じて駆動する方式である。
【０００５】
このようなアクティブマトリックス方式は，キャパシタに電圧書き込みを行って維持させるために，印加される信号の形態によって，電圧書き込み（ｖｏｌｔａｇｅ  ｐｒｏｇｒａｍｍｉｎｇ）方式と電流書き込み（ｃｕｒｒｅｎｔ  ｐｒｏｇｒａｍｍｉｎｇ）方式に分けられる。
【０００６】
従来の有機ＥＬ表示装置は，様々な色相を表現するために一つの画素がそれぞれの色相を有する複数の副画素からなり，このような副画素から発光する色相の組み合わせで色相が表現される。一般に，一つの画素は，赤色Ｒを表示する副画素，緑色Ｇを表示する副画素，および青色Ｂを表示する副画素からなる。これらの赤色，緑色および青色の組み合わせで色相が表現される。
【発明の開示】
【発明が解決しようとする課題】
【０００７】
しかしながら，このような副画素を駆動するためには，副画素別に，有機ＥＬ素子を駆動するための駆動回路が必要であり，データ信号を伝達するためのデータ線，走査信号を伝達するための走査線，および電源電圧を伝達するための電源線が設けられなければならない。よって，一つの画素において形成されるトランジスタ，キャパシタ，および電圧または信号を伝達するための配線が多く必要となり，画素の内部にこれらを配置するのが難しいという不具合があった。また，駆動回路の領域が大きいために，画素において発光する領域に該当する開口率が減少するという問題点があった。
【０００８】
そこで，本発明は，このような問題点に鑑みてなされたもので，その目的とするところは，開口率を向上させ，各駆動部がパネル上に形成される場合には駆動部占有面積を減らして非発光領域を減少させることができる表示装置，表示パネル，及び表示パネルの駆動方法を提供することにある。
【課題を解決するための手段】
【０００９】
上記課題を解決するために，本発明のある観点によれば，データ信号を伝達する複数のデータ線と，選択信号を伝達する複数の走査線と，データ線及び走査線に接続されてデータ信号及び選択信号が印加される複数の画素と，を有する表示装置において；画素は，選択信号が印加されている間，データ信号を入力し，データ信号に対応するデータ電流を出力する発光素子駆動部と，データ電流に対応して各々発光する少なくとも４つの発光素子と，データ電流を各々の発光素子へ伝達するスイッチング部と，を備え，４つの発光素子のうち，少なくとも２つの発光素子は，走査線とデータ線とからお互い異なる位置に形成されていることを特徴とする表示装置が提供される。
【００１０】
従来画素内で，各発光素子に対応して設けられていた駆動回路を，発光素子駆動部やスイッチング部を用いて，少なくとも２つの発光素子に対して共通の駆動回路で発光させることにより，画素内で用いられる素子の構成と電流，電圧または信号を伝達する配線を単純化させることができ，表示装置の開口率を向上させることができる。
【００１１】
表示装置に用いられる４つの発光素子は，２つの列にそれぞれ２つずつ形成することができる。また，複数の発光素子を駆動するための発光素子駆動部は，第１電極，第２電極及び第３電極を備え，第１電極と第２電極との間に印加される電圧に対応する電流を第３電極へ出力するトランジスタと，選択信号に応答してデータ信号を第１キャパシタへ伝達する第１スイッチング素子と，データ信号に対応する電圧を蓄える前記第１キャパシタと，を有することができる。
【００１２】
また例えば，トランジスタの第２電極は第１電源に接続され，発光素子駆動部は，トランジスタの第１電極と第１キャパシタとの間に接続される第２キャパシタと，トランジスタの第１電極と第３電極との間に接続され，第１制御信号に応答してトランジスタをダイオード接続させる第２スイッチング素子と，第１電源と第２キャパシタの第１キャパシタ側の電極との間に接続され，第２制御信号に応答して，第２キャパシタの第１キャパシタ側の電極に，第１電源の電圧を印加する第３スイッチング素子と，をさらに有することができる。
【００１３】
第１制御信号と第２制御信号とは実質的に同一の制御信号とすることができる。また，第１制御信号は，選択信号が印加される前に印加された走査線の選択信号であってもよい。
【００１４】
スイッチング部は，４つの発光素子を発光させるために，お互い異なる期間に，データ電流を４つの発光素子へそれぞれ伝達する４つのスイッチング素子を有することができる。この４つの発光素子のうち，少なくとも２つは，異なる色相で発光することができる。または，４つの発光素子は，実質的に同一の色相で発光してもよい。
【００１５】
上記課題を解決するために，本発明の別の観点によれば，発光表示装置の表示パネルにおいて；データ信号を伝達する複数のデータ線と，選択信号を伝達する複数の走査線と，データ線及び走査線に接続されてデータ信号及び選択信号が印加される複数の画素を有する表示部と，少なくとも４つのデータ信号を１フィールドの間に時分割し，データ線に印加するデータ信号駆動部と，複数の走査線に，順次選択信号を印加するための走査駆動部と，を備えており，
画素は，選択信号が印加されている間，データ信号を入力し，データ信号に対応するデータ電流を出力する駆動部と，データ電流に対応して各々発光する少なくとも４つの発光素子と，データ電流を各々の発光素子へ伝達するスイッチング部と，を有し，
４つの発光素子は，走査線に対して水平方向に形成された第１及び第２発光素子と，第１及び第２発光素子各々の，走査線に対して垂直方向に形成された第３及び第４発光素子であることを特徴とする表示パネルが提供される。
【００１６】
上記のように構成された表示パネルにおいて，画素内で少なくとも４つのデータ信号を１フィールドの間に時分割してデータ線に印加することにより，４つの発光素子を共通の駆動回路で発光させ，画素内で用いられる素子の構成と電流，電圧または信号を伝達する配線を単純化させることができ，表示装置の開口率を向上させることができる。また，データ信号駆動部の内部構造が簡単になり，各駆動部がパネル上に形成される場合，駆動部占有面積を減らして非発光領域を減少させることができる。
【００１７】
上記表示パネルの構成において，１フィールドは，少なくとも４つのサブフィールドに分けられて駆動され，走査駆動部は，選択信号をサブフィールド毎に走査線に順次印加することができる。こうして，４つの異なる発光素子を共通の駆動回路で発光させることができる。また，データ信号駆動部は，４つのサブフィールドで走査線に選択信号が印加される間，４つの発光素子各々に対応するデータ信号をデータ線に順次印加することができる。
【００１８】
４つの発光素子を駆動するための駆動部は，第１電極，第２電極及び第３電極を備え，第１電極と第２電極との間に印加される電圧に対応する電流を第３電極へ出力するトランジスタと，選択信号に応答してデータ信号を第１キャパシタへ伝達する第１スイッチング素子と，データ信号に対応する電圧を蓄える前記第１キャパシタと，を有することができる。また，スイッチング部は，お互い異なる期間に，データ電流を４つの発光素子へそれぞれ伝達する４つのスイッチング素子を有して構成することができる。
【００１９】
さらに，別の観点によれば，データ信号を伝達する複数のデータ線と，選択信号を伝達する複数の走査線と，データ線および走査線に接続されてデータ信号及び選択信号が印加される複数の画素と，を備える表示パネルの駆動方法において；複数の画素は少なくとも４つの発光素子を有しており，１フィールドが少なくとも４つのサブフィールドに分けられて駆動され，各サブフィールドで走査線に選択信号を順次印加する段階と，選択信号が印加される間，データ線にデータ信号を書き込む段階と，データ信号に対応する電流を４つの発光素子に順次伝達する段階と，を含み，４つの発光素子は，走査線に対して水平方向に形成された第１及び第２発光素子と，第１及び第２発光素子各々の走査線に対して垂直方向に形成された第３及び第４発光素子であることを特徴とする表示パネルの駆動方法が提供される。
【００２０】
上記のように表示パネルを駆動させることにより，画素内で１フィールドが４つのサブフィールドに分けて駆動され，選択信号が順次印加されることにより，４つの発光素子を共通の駆動回路で発光させ，画素内で用いられる素子の構成と電流，電圧または信号を伝達する配線を単純化させることができる。データ線には，第１〜第４発光素子に対応するデータ信号が，順次書き込まれて，４つの発光素子を１つの駆動回路で発光させることができる。
【発明の効果】
【００２１】
以上詳述したように本発明によれば，１つの駆動部で複数の有機ＥＬ素子を駆動することにより，画素の内部に含まれる素子の構成及び配線を単純化することができるので，走査線の数を減らして表示装置の開口率を向上させることができる。また，各駆動部の内部構造が簡単になるため，各駆動部がパネル上に形成される場合には，各駆動部占有面積を減らして非発光領域を減少させることができる。
【発明を実施するための最良の形態】
【００２２】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００２３】
また，図面において，本発明を明確に説明するために，説明と関係のない部分は省略した。さらに，ある部分が他の部分に接続されているとするときに，これは直接に接続されている場合のみならず，その間に他の素子を挟んで間接に接続されている場合も含むこととする。
【００２４】
（第１の実施の形態）
まず，第１の実施の形態に係る有機ＥＬ表示装置および駆動方法を添付図面に基づいて詳細に説明する。図１は本実施の形態に係る有機ＥＬ表示装置の構成を示す説明図，図２は，図１の有機ＥＬ表示装置の画素の概略説明図である。
【００２５】
図１に示すように，本実施の形態に係る有機ＥＬ表示装置は，表示パネル（表示部）１００，選択信号駆動部２００（走査駆動部），発光信号駆動部３００（発光素子駆動部または駆動部）およびデータ信号駆動部４００を有している。表示パネル１００は，横方向に伸びている複数の選択走査線Ｓ１〜Ｓｎ，発光走査線Ｅｍｌ〜Ｅｍｎ，列方向に伸びている複数のデータ線Ｄ１〜Ｄｍ，および複数の画素１１０を有する。
【００２６】
画素１１０は，隣り合う２本の走査線と隣り合う２本のデータ線によって定義される画素領域に形成される。図２を参照すると，各画素１１０は，お互い異なる色相の光を発光する有機ＥＬ素子ＯＬＥＤ＿Ｒ，ＯＥＬＤ＿Ｇ（４つの発光素子のうち少なくとも２つ）と，有機ＥＬ素子ＯＬＥＤ＿Ｒ，ＯＬＥＤ＿Ｇを駆動するためのＯＬＥＤ駆動部１１１とを有している。このような有機ＥＬ素子は，印加される電流の大きさに対応する明るさで光を発光する。
【００２７】
選択信号駆動部２００は，該当走査線に接続された画素１１０にデータ信号が書き込まれるように，複数の選択走査線Ｓ１〜Ｓｎに選択信号を順次印加し，発光信号駆動部３００は，有機ＥＬ素子ＯＬＥＤ＿Ｒ，ＯＬＥＤ＿Ｇの発光を制御するために発光走査線Ｅｍ１〜Ｅｍｎに発光信号を順次印加する。データ信号駆動部４００は，選択信号が順次印加される度に，選択信号が印加された走査線の画素１１０に対応するデータ信号をデータ線Ｄ１〜Ｄｍに印加する。
【００２８】
選択信号駆動部２００，発光信号駆動部３００，及びデータ信号駆動部４００は，それぞれ表示パネル１００の形成された基板に電気的に接続される。これとは異なり，選択信号駆動部２００，発光信号駆動部３００，及びデータ信号駆動部４００の少なくとも１つを，表示パネル１００のガラス基板上に直接装着することもでき，表示パネル１００の基板に走査線，データ線及びトランジスタと，同一の層で形成される駆動回路で代替することもできる。
【００２９】
また，選択信号駆動部２００，発光信号駆動部３００，及びデータ信号駆動部４００の少なくとも１つを，表示パネル１００の基板に接着して電気的に接続した，ＴＣＰ（ｔａｐｅ  ｃａｒｒｉｅｒ  ｐａｃｋａｇｅ），ＦＰＣ（ｆｌｅｘｉｂｌｅ  ｐｒｉｎｔｅｄ  ｃｉｒｃｕｉｔ），またはＴＡＢ（ｔａｐｅ  ａｕｔｏｍａｔｉｃ  ｂｏｎｄｉｎｇ）にチップなどの形で装着することもできる。
【００３０】
この際，本実施の形態では，１つのフィールドが２つのサブフィールドに分割されて駆動され，２つのサブフィールドではそれぞれ有機ＥＬ素子ＯＬＥＤ＿Ｒ，ＯＬＥＤ＿Ｇに対応するデータが書き込まれて発光がなされる。このため，選択信号駆動部２００は，サブフィールド毎に選択信号を順次選択走査線Ｓ１〜Ｓｎに印加し，発光信号駆動部３００も，各色相の有機ＥＬ素子が一つのサブフィールドで発光するように，発光信号を発光走査線Ｅｍ１〜Ｅｍｎに印加する。データ信号駆動部４００は，２つのサブフィールドでそれぞれ有機ＥＬ素子ＯＬＥＤ＿Ｒ，ＯＬＥＤ＿Ｇにそれぞれ対応するデータ信号をデータ線Ｄ１〜Ｄｍに印加する。
【００３１】
次に，図３および図４を参照して，第１の実施の形態に係る有機ＥＬ表示装置の具体的な動作について詳細に説明する。図３は第１の実施の形態に係る有機ＥＬ表示装置の画素を示す回路図，図４は第１の実施の形態に係る有機ＥＬ表示装置の駆動タイミング図である。
【００３２】
図３では，選択走査線Ｓ１とデータ線Ｄ１に接続される電圧書き込み方式の画素を示し，赤色で発光する有機ＥＬ素子ＯＬＥＤ＿Ｒと緑色で発光する有機ＥＬ素子ＯＬＥＤ＿Ｇとを有する画素回路を例示的に示した。
【００３３】
図３に示すように，本実施の形態に係る画素回路は，ゲートとソースとの間に印加される電圧に対応する電流をドレインへ出力するトランジスタである駆動トランジスタＭ１，スイッチングトランジスタＭ２（第１スイッチング素子），２つの有機ＥＬ素子ＯＬＥＤ＿Ｒ，ＯＬＥＤ＿Ｇ，および有機ＥＬ素子ＯＬＥＤ＿Ｒ，ＯＬＥＤ＿Ｇの発光をそれぞれ制御する発光トランジスタＭ３ａ，Ｍ３ｂを有している。
【００３４】
１本の発光走査線Ｅｍ１は，２本の発光信号線Ｅｍ１ａ，Ｅｍ１ｂからなり，図３に示してはいないが，残りの発光走査線Ｅｍ２〜Ｅｍｎもそれぞれ２本の発光信号線からなる。このような発光トランジスタＭ３ａ，Ｍ３ｂと発光信号線Ｅｍ１ａ，Ｅｍ１ｂは，駆動トランジスタＭ１からの電流を有機ＥＬ素子ＯＬＥＤ＿Ｒ，ＯＬＥＤ＿Ｇに選択的に伝達するためのスイッチング部を形成する。
【００３５】
具体的に，スイッチングトランジスタＭ２は，ゲートが選択走査線Ｓ１に接続され，ソースがデータ線Ｄ１に接続されることにより，選択走査線Ｓ１からの選択信号に応答してデータ線Ｄ１からのデータ電圧を伝達する。駆動トランジスタＭ１は，ソース（第２電極）が電源電圧ＶＤＤ（第１電源）を供給する電源線に接続され，ゲート（第１電極）がスイッチングトランジスタＭ２のドレインに接続されており，駆動トランジスタＭ１のソースとゲートとの間にキャパシタＣ１（第１キャパシタ）が接続されている。
【００３６】
駆動トランジスタＭ１のドレイン（第３電極）には発光トランジスタＭ３ａ，Ｍ３ｂのソースがそれぞれ接続されており，発光トランジスタＭ３ａ，Ｍ３ｂのゲートにはそれぞれ発光信号線Ｅｍ１ａ，Ｅｍ１ｂが接続されている。発光トランジスタＭ３ａ，Ｍ３ｂのドレインにはそれぞれ有機ＥＬ素子ＯＬＥＤ＿Ｒ，ＯＬＥＤ＿Ｇのアノードが接続されており，有機ＥＬ素子ＯＬＥＤ＿Ｒ，ＯＬＥＤ＿Ｇのカソードには電源電圧ＶＤＤより低い電源電圧ＶＳＳが印加される。このような電源電圧ＶＳＳとしては，負の電圧または接地電圧を使用することができる。
【００３７】
スイッチングトランジスタＭ２は，選択走査線Ｓ１からの低レベルの選択信号に応答してデータ線Ｄ１からのデータ電圧を駆動トランジスタＭ１のゲートへ伝達し，トランジスタＭ１のゲートに伝達されたデータ電圧と電源電圧ＶＤＤとの差に相当する電圧がキャパシタＣ１に蓄えられる。そして，発光トランジスタＭ３ａが発光信号線Ｅｍ１ａからの低レベルの発光信号に応答してターンオンされると，駆動トランジスタＭ１から，キャパシタＣ１に蓄えられた電圧に対応する電流が有機ＥＬ素子ＯＬＥＤ＿Ｒに伝達されて発光が行われる。
【００３８】
同様に，発光トランジスタＭ３ｂが発光信号線Ｅｍ１ｂからの低レベルの発光信号に応答してターンオンされると，駆動トランジスタＭ１から，キャパシタＣ１に蓄えられた電圧に対応する電流が有機ＥＬ素子ＯＬＥＤ＿Ｇに伝達されて発光が行われる。
【００３９】
１つの画素がお互い異なる色相を表示できるように２本の発光信号線にそれぞれ印加される２つの発光信号は，１フィールドの間に重複しない低レベルの期間をそれぞれ有するようにするとよい。
【００４０】
次に，図４を参照して本実施の形態に係る有機ＥＬ表示装置の駆動方法について詳細に説明する。図４に示すように，本実施の形態によれば，１フィールド１Ｆが２つのサブフィールド１ＳＦ，２ＳＦからなり，サブフィールド１ＳＦ，２ＳＦではそれぞれ画素１１０の有機ＥＬ素子ＯＬＥＤ＿Ｒ，ＯＬＥＤ＿Ｇを駆動するための信号が印加される。図４ではこれらサブフィールド１ＳＦ，２ＳＦの期間を同一に示した。
【００４１】
サブフィールド１ＳＦでは，まず第１行目の選択走査線Ｓ１に低レベルの選択信号が印加されるとき，データ線Ｄ１〜Ｄｍには第１行目の画素１１０の有機ＥＬ素子ＯＥＬＤ＿Ｒに対応するデータ電圧Ｒが印加される。
【００４２】
第１行目の発光信号線Ｅｍ１ａに低レベルの発光信号が印加される。すると，第１行目の各画素１１０のスイッチングトランジスタＭ２を介してデータ電圧ＲがキャパシタＣ１のスイッチングトランジスタＭ２側の端子に印加され，キャパシタＣ１にデータ電圧Ｒに対応する電圧が充電される。そして，第１行目の画素１１０の発光トランジスタＭ３ａがターンオンされ，キャパシタＣ１に蓄えられたゲート−ソース電圧に対応する電流が駆動トランジスタＭ１から赤色の有機ＥＬ素子ＯＬＥＤ＿Ｒに伝達されて発光が行われる。
【００４３】
次に，第２行目の選択走査線Ｓ２に低レベルの選択信号が印加されるとき，データ線Ｄ１〜Ｄｍには第２行目の画素１１０の赤色に対応するデータ電圧Ｒが印加される。また，第２行目の発光信号線Ｅｍ２ａに低レベルの発光信号が印加される。すると，第２行目の画素１１０の赤色有機ＥＬ素子ＯＬＥＤ＿Ｒにデータ線Ｄ１〜Ｄｍからのデータ電圧Ｒに対応する電流が供給されて発光が行われる。
【００４４】
順次第３行目〜第（ｎ−１）行目の画素１１０にデータ電圧を印加して赤色有機ＥＬ素子ＯＬＥＤ＿Ｒを発光させる。第ｎ行目の選択走査線Ｓｎに低レベルの選択信号が印加されるとき，データ線Ｄ１〜Ｄｍに第ｎ行目の画素の赤色に対応するデータ電圧Ｒが印加され，第ｎ行目の発光信号線Ｅｍｎａに低レベルの発光信号が印加される。すると，第ｎ行目の画素１１０の赤色有機ＥＬ素子ＯＬＥＤ＿Ｒにデータ線Ｄ１〜Ｄｍからのデータ電圧Ｒに対応する電流が供給されて発光が行われる。
【００４５】
こうして，サブフィールド１ＳＦでは，表示パネル１００に形成された各画素１１０に，赤色に対応するデータ電圧Ｒを印加する。発光信号線Ｅｍ１ａ〜Ｅｍｎａに印加される発光信号は，一定の期間低レベルに維持され，発光信号が低レベルの間，該当発光信号の印加された発光トランジスタＭ３ａに接続された有機ＥＬ素子ＯＬＥＤ＿Ｒは引き続き発光する。
【００４６】
図４では，この期間をサブフィールド１ＳＦと同一の期間で示した。すなわち，各画素１１０において，赤色有機ＥＬ素子ＯＬＥＤ＿Ｒは，サブフィールドに対応する期間の間，印加されたデータ電圧に対応する輝度で発光する。
【００４７】
次のサブフィールド２ＳＦでは，前のサブフィールド１ＳＦと同様に，第１行目〜第ｎ行目の選択走査線Ｓ１〜Ｓｎに低レベルの選択信号が順次印加され，各選択走査線Ｓ１〜Ｓｎに選択信号が印加されるとき，データ線Ｄ１〜Ｄｍには該当行の画素１１０の緑色に対応するデータ電圧Ｇが印加される。
【００４８】
また，選択走査線Ｓ１〜Ｓｎに低レベルの選択信号が順次印加されることに同期し，発光信号線Ｅｍ１ｂ〜Ｅｍｎｂにも低レベルの発光信号が順次印加される。すると，印加されたデータ電圧に対応する電流が発光トランジスタＭ３ｂを介して緑色の有機ＥＬ素子ＯＬＥＤ＿Ｇに伝達されて発光が行われる。
【００４９】
このサブフィールド２ＳＦでも，発光信号線Ｅｍ１ｂ〜Ｅｍｎｂに印加される発光信号は一定の期間低レベルに維持され，発光信号が低レベルの間，該当発光信号の印加された発光トランジスタＭ３ｂに接続された緑色の有機ＥＬ素子ＯＬＥＤ＿Ｇは引き続き発光する。
【００５０】
図４では，この期間を該当サブフィールド２ＳＦと同一の期間で示した。すなわち，各画素１１０において，緑色の有機ＥＬ素子ＯＬＥＤ＿Ｇは，サブフィールド２ＳＦに対応する期間の間，印加されたデータ電圧に対応する輝度で発光する。
【００５１】
このように，第１の実施の形態に係る有機ＥＬ表示装置の駆動方法によれば，１フィールドが２つのサブフィールドに分割されて順次駆動される。各サブフィールドでは一つの画素１１０で１色相の有機ＥＬ素子のみが発光し，２つのサブフィールドを介して順次２色相の有機ＥＬ素子が発光する。
【００５２】
上記のように本実施の形態によれば，１画素でいろいろの色相の発光素子を共通の駆動及びスイッチングトランジスタとキャパシタで駆動することができるので，画素内で用いられる素子の構成と電流，電圧または信号を伝達する配線を単純化させ，１本のデータ線Ｄ１で２列の有機ＥＬ素子を駆動することができる。したがって，表示パネルに形成されるデータ線が減少して表示装置の開口率を向上させることができる。
【００５３】
また，データ線Ｄ１〜Ｄｍを駆動するためのデータ信号駆動部４００の内部構造が簡単になり，駆動部がパネル上に形成される場合，駆動部占有面積を減らして非発光領域（ｄｅａｄ  ｓｐａｃｅ）を減少させることができる。
【００５４】
図４では，有機ＥＬ表示装置が単一走査（ｓｉｎｇｌｅ  ｓｃａｎ）において順次走査（ｐｒｏｇｒｅｓｓｉｖｅ  ｓｃａｎ）方式で駆動されることを示したが，本発明は，これに限定されず，二重走査（ｄｕａｌ  ｓｃａｎ）方式，インタレース走査（ｉｎｔｅｒｌａｃｅｄ  ｓｃａｎ）方式または他の走査方式も適用することができる。
【００５５】
さらに，本実施の形態では，スイッチングトランジスタと駆動トランジスタのみを使用する電圧書き込み方式の画素回路について説明したが，スイッチングトランジスタと駆動トランジスタ以外に，駆動トランジスタのしきい値電圧を補償するためのトランジスタ，または電圧降下を補償するためのトランジスタなどを使用する電圧書き込み方式の画素回路に対しても適用することができる。
【００５６】
（第２の実施の形態）
図５は第２の実施の形態に係る有機ＥＬ表示装置の画素を概略的に示す説明図である。本実施の形態に係る有機ＥＬ表示装置の画素は，１つのＯＬＥＤ駆動部が，２つの行に形成された４つの有機ＥＬ素子（４つの発光素子）を駆動するという点において，第１の実施の形態に係る画素回路とは異なる。
【００５７】
具体的には，１つのＯＬＥＤ駆動部１１１が，一番目の行に形成された２つの有機ＥＬ素子ＯＬＥＤ＿Ｒ，ＯＬＥＤ＿Ｇ（第１発光素子，第２発光素子）と，２番目の行に形成された２つの有機ＥＬ素子ＯＬＥＤ＿Ｒ，ＯＬＥＤ＿Ｇ（第３発光素子，第４発光素子）を駆動する。このように画素を形成する場合には，１フィールドが４つのサブフィールドに分けられて駆動され，各サブフィールドで有機ＥＬ素子が順次発光するように駆動される。
【００５８】
また，第２の実施の形態では，垂直，及び水平に隣接した４つの有機ＥＬ素子を１つのＯＬＥＤ駆動部１１１で駆動することにより，１本の選択走査線Ｓ１で２行の有機ＥＬ素子を駆動することができ，１本のデータ線Ｄ１で２列の有機ＥＬ素子を駆動することができる。したがって，表示パネルに形成される選択走査線及びデータ線が半分に減少して発光表示装置の開口率を，より向上させることができる。
【００５９】
また，走査線Ｓ１〜Ｓｎ及びデータ線Ｄ１〜Ｄｍを駆動するための選択信号駆動部２００及びデータ信号駆動部４００の内部構造が簡単になり，駆動部がパネル上に形成される場合，駆動部占有面積を減らして非発光領域を減少させることができる。
【００６０】
図６は，第２の実施の形態に係る画素回路をより具体的に示す回路図であって，３本のデータ線Ｄ１，Ｄ２，Ｄ３と選択走査線Ｓ１によって定義される画素領域に形成された３つの画素１１０ａ，１１０ｂ，１１０ｃを示した。
【００６１】
次に，図６を参照して本実施の形態に係る画素回路の構成及び動作について説明する。但し，３つの画素１１０ａ〜１１０ｃのうち，データ線Ｄ１と選択走査線Ｓ１によって定義される画素領域に形成される画素１１０ａを中心として説明し，第１の実施の形態と関連して重複する部分については説明を省略する。第１の実施の形態と同じ番号の素子は，第１の実施の形態と同様の動作をするものとする。
【００６２】
第２の実施の形態によれば，ＯＬＥＤ駆動部１１１は，駆動トランジスタＭ１１，スイッチングトランジスタＭ１２，キャパシタＣ１１及び４つの発光トランジスタＭ１３ａ，Ｍ１３ｂ，Ｍ１３ｃ，Ｍ１３ｄを有している。
【００６３】
発光トランジスタＭ１３ａ，Ｍ１３ｂは，１番目の列に形成された２つの有機ＥＬ素子ＯＬＥＤ＿Ｒ１，ＯＬＥＤ＿Ｇ１に電流を伝達するためのものである。発光トランジスタＭ１３ａ，Ｍ１３ｂのゲートはそれぞれ発光信号線Ｅｍ１ａ，Ｅｍ１ｂに接続され，ソースは駆動トランジスタＭ１１のドレインに接続され，ドレインは有機ＥＬ素子ＯＬＥＤ＿Ｒ１，ＯＬＥＤ＿Ｇ１のアノードに接続される。
【００６４】
発光トランジスタＭ１３ｃ，Ｍ１３ｄは，２番目の列に形成された２つの有機ＥＬ素子ＯＬＥＤ＿Ｒ３，ＯＬＥＤ＿Ｇ３に電流を伝達するためのものである。発光トランジスタＭ１３ｃ，Ｍ１３ｄのゲートはそれぞれ発光信号線Ｅｍ１ｃ，Ｅｍ１ｄに接続され，ソースは駆動トランジスタＭ１１のドレインに接続され，ドレインは有機ＥＬ素子ＯＬＥＤ＿Ｒ３，ＯＬＥＤ＿Ｇ３のアノードに接続される。
【００６５】
このように画素を構成し，４つのサブフィールドで発光信号線Ｅｍ１ａ〜Ｅｍ１ｄに順次低レベルの発光信号を印加すると，駆動トランジスタＭ１１の電流が発光トランジスタＭ１３ａ〜Ｍ１３ｄを介して有機ＥＬ素子ＯＬＥＤ＿Ｒ１，ＯＬＥＤ＿Ｇ１，ＯＬＥＤ＿Ｒ３，ＯＬＥＤ＿Ｇ３に順次伝達されて発光がなされる。
【００６６】
同様に画素１１０ｂ，１１０ｃに対して，ＯＬＥＤ駆動部１１１は，各々駆動トランジスタＭ２１，Ｍ３１，スイッチングトランジスタＭ２２，Ｍ３２，キャパシタＣ２１，Ｃ３１及び発光トランジスタＭ２３ａ，Ｍ２３ｂ，Ｍ２３ｃ，Ｍ２３ｄ，Ｍ３３ａ，Ｍ３３ｂ，Ｍ３３ｃ，Ｍ３３ｄを有している。
【００６７】
画素１１０ｂにおいて，発光トランジスタＭ２３ａ，Ｍ２３ｂは，１番目の列に形成された２つの有機ＥＬ素子ＯＬＥＤ＿Ｂ１，ＯＬＥＤ＿Ｒ２に電流を伝達し，画素１１０ｃにおいて，発光トランジスタＭ３３ａ，Ｍ３３ｂは，１番目の列に形成された２つの有機ＥＬ素子ＯＬＥＤ＿Ｇ２，ＯＬＥＤ＿Ｂ２に電流を伝達する。
【００６８】
発光トランジスタＭ２３ａ，Ｍ２３ｂ，Ｍ３３ａ，Ｍ３３ｂのゲートはそれぞれ発光信号線Ｅｍ１ａ，Ｅｍ１ｂに接続され，ソースは駆動トランジスタＭ２１，Ｍ３１のドレインに各々接続され，ドレインは各有機ＥＬ素子のアノードに接続される。
【００６９】
画素１１０ｂにおいて発光トランジスタＭ２３ｃ，Ｍ２３ｄは，２番目の列に形成された２つの有機ＥＬ素子ＯＬＥＤ＿Ｂ３，ＯＬＥＤ＿Ｒ４に電流を伝達し，画素１１０ｃにおいて発光トランジスタＭ３３ｃ，Ｍ３３ｄは，２番目の列に形成された２つの有機ＥＬ素子ＯＬＥＤ＿Ｇ４，ＯＬＥＤ＿Ｂ４に電流を伝達する。発光トランジスタＭ２３ｃ，Ｍ２３ｄ，Ｍ３３ｃ，Ｍ３３ｄのゲートは，それぞれ発光信号線Ｅｍ１ｃ，Ｅｍ１ｄに接続され，ソースは駆動トランジスタＭ２１，Ｍ３１のドレインに接続され，ドレインは各有機ＥＬ素子のアノードに接続される。
【００７０】
画素１１０ａと同様に，４つのサブフィールドで発光信号線Ｅｍ１ａ〜Ｅｍ１ｄに順次低レベルの発光信号を印加すると，４つの有機ＥＬ素子に順次伝達されて発光がなされる。
【００７１】
こうして，本実施の形態では，図６に示すように，赤色，緑色，青色で発光する有機ＥＬ素子が水平的に繰り返し形成され，１つのＯＬＥＤ駆動部１１１が水平的に隣接した有ＥＬ素子を駆動するので，１つのＯＬＥＤ駆動部１１１は，お互い異なる色相で発光する有機ＥＬ素子を駆動する。
【００７２】
具体的には，１つのサブフィールドを第１〜第４サブフィールドに分けて駆動する場合，第１サブフィールドでは，赤色で発光する有機ＥＬ素子ＯＬＥＤ＿Ｒ１に対応するデータ電圧がデータ線Ｄ１に印加され，発光信号線Ｅｍ１ａに低レベルの発光信号が印加されて駆動トランジスタＭ１１の電流が有機ＥＬ素子ＯＬＥＤ＿Ｒ１へ流れる。
【００７３】
第２サブフィールドでは，緑色で発光する有機ＥＬ素子ＯＬＥＤ＿Ｇ１に対応するデータ電圧がデータ線Ｄ１に印加され，発光信号線Ｅｍ１ｂに低レベルの発光信号が印加されて駆動トランジスタＭ１１の電流が有機ＥＬ素子ＯＬＥＤ＿Ｇ１へ流れる。
【００７４】
第３サブフィールドでは，赤色で発光する有機ＥＬ素子ＯＬＥＤ＿Ｒ３に対応するデータ電圧がデータ線Ｄ１に印加され，発光信号線Ｅｍ１ｃに低レベルの発光信号が印加されて駆動トランジスタＭ１１の電流が有機ＥＬ素子ＯＬＥＤ＿Ｒ３へ流れる。
【００７５】
同様に，第４サブフィールドでは，緑色で発光する有機ＥＬ素子ＯＬＥＤ＿Ｇ３に対応するデータ電圧がデータ線Ｄ１に印加され，発光信号線Ｅｍ１ｄに低レベルの発光信号が印加されて駆動トランジスタＭ１１の電流が有機ＥＬ素子ＯＬＥＤ＿Ｇ３へ流れる。
【００７６】
このように１つのフィールドを４つのサブフィールドに分け，各サブフィールドで４つの有機ＥＬ素子を順次駆動することにより，一つの駆動部で４つの有機ＥＬ素子を駆動することができる。
【００７７】
（第３の実施の形態）
次に，第３の実施の形態について説明する。ここで，第２の実施の形態のように，１つの駆動部がお互い異なる色相の有機ＥＬ素子を駆動する場合には，駆動トランジスタの特性を調節することにより，赤色，緑色，及び青色画像のホワイトバランスを制御することが難しいという不具合があった。
【００７８】
そこで，第３の実施の形態においては，１つの画素に形成された駆動部が，同一の色相で発光する有機ＥＬ素子を駆動するようにすることにより，前記のような欠点を克服することができる。図７を参照して本実施の形態に係る有機ＥＬ表示装置の画素について具体的に説明する。第２の実施の形態と同じ番号の素子は，第２の実施の形態と同様の動作をするものとする。
【００７９】
図７は，第３の実施の形態に係る有機ＥＬ表示装置の複数の画素を示す回路図である。本実施の形態によれば，各画素１１０ａ，１１０ｂ，１１０ｃは，ＯＬＥＤ駆動部と４つの有機ＥＬ素子とを有しており，データ線Ｄ１，Ｄ２，Ｄ３にはそれぞれ赤色，緑色，及び青色に対応するデータ信号が印加される。
【００８０】
画素１１０ａのＯＬＥＤ駆動部は，データ線Ｄ１に接続され，赤色のデータ信号に対応する電流を発光トランジスタＭ１３ａ，Ｍ２３ｂ，Ｍ１３ｃ，Ｍ２３ｄを介して有機ＥＬ素子ＯＬＥＤ＿Ｒ１，ＯＬＥＤ＿Ｒ２，ＯＬＥＤ＿Ｒ３，ＯＬＥＤ＿Ｒ４に印加する。具体的に，駆動トランジスタＭ１１のドレインに発光トランジスタＭ１３ａ，Ｍ２３ｂ，Ｍ１３ｃ，Ｍ２３ｄが接続され，ゲートに印加される発光信号に応答して駆動トランジスタＭ１１の電流を有機ＥＬ素子ＯＬＥＤ＿Ｒ１，ＯＬＥＤ＿Ｒ２，ＯＬＥＤ＿Ｒ３，ＯＬＥＤ＿Ｒ４へ伝達する。
【００８１】
画素１１０ｂのＯＬＥＤ駆動部は，データ線Ｄ２に接続され，緑色のデータ信号に対応する電流を発光トランジスタＭ１３ｂ，Ｍ３３ａ，Ｍ１３ｄ，Ｍ３３ｃを介して有機ＥＬ素子ＯＬＥＤ＿Ｇ１，ＯＬＥＤ＿Ｇ２，ＯＬＥＤ＿Ｇ３，ＯＬＥＤ＿Ｇ４に印加する。すなわち，駆動トランジスタＭ２１のドレインに発光トランジスタＭ１３ｂ，Ｍ３３ａ，Ｍ１３ｄ，Ｍ３３ｃが接続され，ゲートに印加される発光信号に応答して駆動トランジスタＭ２１の電流を有機ＥＬ素子ＯＬＥＤ＿Ｇ１，ＯＬＥＤ＿Ｇ２，ＯＬＥＤ＿Ｇ３，ＯＬＥＤ＿Ｇ４へ伝達する。
【００８２】
同様に，画素１１０ｃのＯＬＥＤ駆動部は，データ線Ｄ３に接続され，青色のデータ信号に対応する電流を発光トランジスタＭ２３ａ，Ｍ３３ｂ，Ｍ２３ｃ，Ｍ３３ｄを介して有機ＥＬ素子ＯＬＥＤ＿Ｂ１，ＯＬＥＤ＿Ｂ２，ＯＬＥＤ＿Ｂ３，ＯＬＥＤ＿Ｂ４に印加する。すなわち，駆動トランジスタＭ３１のドレインに発光トランジスタＭ２３ａ，Ｍ３３ｂ，Ｍ２３ｃ，Ｍ３３ｄが接続され，ゲートに印加される発光信号に応答して駆動トランジスタＭ３１の電流を有機ＥＬ素子ＯＬＥＤ＿Ｂ１，ＯＬＥＤ＿Ｂ２，ＯＬＥＤ＿Ｂ３，ＯＬＥＤ＿Ｂ４へ伝達する。
【００８３】
このように構成すると，１フィールドの間，１本のデータ線には同一の色相に対応するデータ電圧が印加され，１つの駆動トランジスタは，データ電圧に対応する電流を，同一の色相で発光する有機ＥＬ素子へ伝達する。
【００８４】
したがって，１つの画素に含まれた駆動トランジスタは，１フィールドの間，同一色相の有機ＥＬ素子に流れる電流を制御するので，駆動トランジスタのチャネルの幅Ｗと長さＬの比（Ｗ／Ｌ）を制御することにより，表示パネルのホワイトバランスを調節することができる。
【００８５】
すなわち，図７においてトランジスタＭ１１，Ｍ２１，Ｍ３１のチャネルの幅と長さの比をお互い異なるように設定し，実質的に同じレベルのデータ電圧によって，お互い異なる量の電流がそれぞれ赤色，緑色，及び青色の有機ＥＬ素子へ流れるようにすることができる。
【００８６】
（第４の実施の形態）
次に，第４の実施の形態について説明する。第３の実施の形態のように画素回路を形成する場合には，有機ＥＬ素子へ流れる電流は，駆動トランジスタのしきい値電圧に影響される。したがって，製造工程の不均一により，薄膜トランジスタの間にしきい値電圧の偏差が存在する場合，高諧調を得ることが難しいという問題が発生する。
【００８７】
そこで，第４の実施の形態では，駆動トランジスタのしきい値電圧を補償するための補償回路を備えることにより，有機ＥＬ素子へ流れる電流が駆動トランジスタのしきい値電圧に影響されないようにできる。
【００８８】
図８は，第４の実施の形態に係る有機ＥＬ表示装置の複数の画素を示す回路図である。本実施の形態に係る画素回路は，駆動部が，駆動トランジスタのしきい値電圧の偏差を補償するための２つのトランジスタとキャパシタをさらに有するという点において，第３の実施の形態に係る画素回路とは異なっている。第３の実施の形態と同じ番号の素子は，第３の実施の形態と同様の動作をするものとする。
【００８９】
次に，画素１１０ａを中心として本実施の形態に係る画素回路について具体的に説明する。但し，第３の実施の形態と関連して重複する部分については説明を省略する。なお，現在の選択信号を伝達しようとする選択走査線を「現在走査線」といい，現在の選択信号が伝達される前に選択信号を伝達した選択走査線を「直前走査線」ということとする。
【００９０】
画素１１０ａのキャパシタＣ１２（第２キャパシタ）は，トランジスタＭ１１（ゲートとソースとの間に印加される電圧に対応する電流をドレインへ出力するトランジスタ）のゲート（第１電極）とキャパシタＣ１１（第１キャパシタ）との間に接続される。トランジスタＭ１４（第２スイッチング素子）は，トランジスタＭ１１のゲートとトランジスタＭ１１のドレイン（第３電極）との間に接続され，例えば第１制御信号である直前走査線Ｓｎ−１からの選択信号に応答してトランジスタＭ１１をダイオード接続させる。トランジスタＭ１５（第３スイッチング素子）は，電源電圧ＶＤＤ（第１電源）とキャパシタＣ１２のキャパシタＣ１１側の電極に接続されるが，例えば第２制御信号として直前走査線Ｓｎ−１からの選択信号に応答して，キャパシタＣ１２の一電極に電源ＶＤＤを印加する。
【００９１】
画素１１０ａと同様に，画素１１０ｂ，１１０ｃにおいて，キャパシタＣ１２に対してキャパシタＣ２２，Ｃ３２が，トランジスタＭ１４に対してトランジスタＭ２４，Ｍ３４が，トランジスタＭ１５に対してトランジスタＭ２５，Ｍ３５を構成することができる。
【００９２】
直前走査線Ｓｎ−１に低レベルの電圧が印加されると，トランジスタＭ１４がターンオンして，トランジスタＭ１１がダイオード接続状態になり，トランジスタＭ１５もターンオンして，キャパシタＣ１２にはトランジスタＭ１１のしきい値電圧が蓄えられる。
【００９３】
その後，現在走査線Ｓｎに低レベルの電圧が印加されると，トランジスタＭ１２がターンオンして，データ電圧ＶｄａｔａがキャパシタＣ１１に充電される。キャパシタＣ１２にはトランジスタＭ１１のしきい値電圧Ｖｔｈが蓄えられているので，トランジスタＭ１１のゲートには，データ線Ｄ１からデータ電圧ＶｄａｔａとトランジスタＭ１１のしきい値電圧Ｖｔｈとの和に対応する電圧が印加される。
【００９４】
したがって，発光信号線Ｅｍｎａ，Ｅｍｎｂ，Ｅｍｎｃ，Ｅｍｎｄのいずれかに低レベルの電圧が印加され，対応する発光トランジスタＭ１３ａ，Ｍ２３ｂ，Ｍ１３ｃ，Ｍ２３ｄがターンオンすると，数式１のような電流が有機ＥＬ素子に伝達されて，発光が行われる。
【００９５】
【数１】
2006065274.tif 000003
【００９６】
ここで，ＩＯＬＥＤは有機ＥＬ素子に流れる電流，ＶｇｓはトランジスタＭ１１のソースとゲート間の電圧，ＶｔｈはトランジスタＭ１１のしきい値電圧，Ｖｄａｔａはデータ電圧，βは定数値を示す。
【００９７】
これにより，有機ＥＬ素子ＯＬＥＤに流れる電流が，トランジスタＭ１１のしきい値電圧に影響されなくなって，所望の諧調画像を表現することができる。一方，画素１１０ａで直前走査線Ｓｎ−１に選択信号が印加され，キャパシタＣ１２にトランジスタＭ１１のしきい値電圧に対応する電圧を蓄える場合，キャパシタＣ１２に蓄えられた電圧は，駆動トランジスタＭ１１のドレイン電極の電圧に影響されるが，ドレイン電極の電圧は，直前のサブフィールドでトランジスタＭ１１を介して流れた電流に影響される。
【００９８】
本実施の形態において，駆動トランジスタＭ１１は直前のサブフィールドと現在のサブフィールドで全て赤色に対応する電流を出力するので，現在のサブフィールドと同一の条件下でトランジスタＭ１１のしきい値電圧の偏差を補償するための電圧がキャパシタＣ１２に蓄えられる。したがって，駆動トランジスタＭ１１のドレイン電極に寄生キャパシタンス成分が存在して駆動トランジスタＭ１１のしきい値電圧とは異なる電圧で充電されるとしても，現在のサブフィールドと直前のサブフィールドとで同一の条件下でしきい値電圧に対応する電圧が充填されるので，駆動トランジスタＭ１１のしきい値電圧の偏差を効果的に補償することができる。
【００９９】
このように第１〜第４の実施の形態によれば，１つの駆動部で複数の有機ＥＬ素子を駆動することにより，開口率の向上した発光表示装置を提供することができる。また，画素の内部に含まれる素子の構成及び配線を単純化することが可能な発光表示装置を提供することができる。
【０１００】
ひいては，表示パネルに形成されるデータ線及び走査線の数を減らしてデータ信号駆動部と走査駆動部の内部構成を簡単にすることができ，表示パネルで駆動部占有領域を減少させて非発光領域を減少させることができる。
【０１０１】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【０１０２】
また，例えば，図５〜図８では，１つの駆動トランジスタに４つの有機ＥＬ素子が発光トランジスタを介して接続されていると示したが，４つの有機ＥＬ素子に限定されず，実施の形態によっては，１つの駆動トランジスタに他の数の有機ＥＬ素子を駆動する形態も可能である。すなわち，図５及び図６のように画素を形成する場合，１つの駆動トランジスタが，２つの列にそれぞれ形成された赤色，緑色，青色の有機ＥＬ素子を駆動するようにすることができ，図７及び図８のように画素を形成する場合には，１つの駆動トランジスタが，２つの列にそれぞれ形成された３つの同一色相で発光する有機ＥＬ素子を駆動するようにすることができる。そして，実施の形態によっては，１つの駆動トランジスタが，３つ以上の行に形成された有機ＥＬ素子を駆動するようにすることができる。
【０１０３】
また，上記では，駆動トランジスタとしてＰ型のチャネルを有するトランジスタを用いて説明したが，実施の形態によっては，Ｎ型のチャネルを有するトランジスタを使用することもでき，ＭＯＳトランジスタ以外に第１〜第３電極を備え，第１電極と第２電極との間に印加される電圧に対応して，第３電極へ出力される電流を制御することが可能な他の能動素子を用いて駆動トランジスタを実現することができる。
【産業上の利用可能性】
【０１０４】
本発明は，表示装置，表示パネル，及びその駆動方法に適用可能であり，特に，有機物質の電界発光を用いており，開口率が向上して表示パネルの非発光領域を減少させることができる，有機電界発光（ｅｌｅｃｔｒｏ  ｌｕｍｉｎｅｓｃｅｎｔ：ＥＬ）表示装置，表示パネル及び表示パネルの駆動方法に適用可能である。
【図面の簡単な説明】
【０１０５】
【図１】第１の実施の形態に係る表示装置の構成を示す説明図である。
【図２】図１の表示装置の画素を概略的に示す説明図である。
【図３】第１の実施の形態に係る表示装置の１つの画素を示す回路図である。
【図４】第１の実施の形態に係る表示装置の駆動タイミング図である。
【図５】第２の実施の形態に係る表示装置の１つの画素を示す回路図である。
【図６】第２の実施の形態に係る表示装置の複数の画素を示す回路図である。
【図７】第３の実施の形態に係る表示装置の複数の画素を示す回路図である。
【図８】第４の実施の形態に係る表示装置の複数の画素を示す回路図である。
【符号の説明】
【０１０６】
１００          表示パネル
１１０          画素
Ｓ１〜Ｓｎ      選択走査線
Ｅｍｌ〜Ｅｍｎ  発光走査線
Ｄ１〜Ｄｍ      データ線
１１１          ＯＬＥＤ駆動部
２００          選択信号駆動部
３００          発光信号駆動部
４００          データ信号駆動部
【図１】
2006065274.tif 000004
【図２】
2006065274.tif 000005
【図３】
2006065274.tif 000006
【図４】
2006065274.tif 000007
【図５】
2006065274.tif 000008
【図６】
2006065274.tif 000009
【図７】
2006065274.tif 000010
【図８】
2006065274.tif 000011